【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
シートを搬送する搬送部と、
前記搬送部によって搬送されるシートの先端及び後端を、前記シートの搬送路における第１の位置で検知する第１の検知部と、
前記搬送部によって搬送されるシートの先端及び後端を、前記搬送路における第２の位置で検知する第２の検知部と、を有し、
前記第１の検知部によって検知可能な先行するシートの後端と後続するシートの先端の間の間隔の中で最も短い第１の間隔は、前記第２の検知部によって検知可能な前記先行するシートの後端と前記後続するシートの先端の間の間隔の中で最も短い第２の間隔よりも短いシート搬送装置において、
前記先行するシートと前記後続するシートが、前記第１の位置において前記第１の間隔以上の間隔で搬送されるように前記搬送部を制御する制御部であって、前記先行するシートと前記後続するシートが、前記第２の位置において前記第２の間隔よりも短い間隔で搬送されるように前記搬送部を制御する第１の制御と、前記第２の位置において前記第２の間隔以上の間隔で搬送されるように前記搬送部を制御する第２の制御を切り替える前記制御部を有することを特徴とするシート搬送装置。
【請求項２】
シートを積載する積載部を有し、
前記搬送部は前記積載部に積載されたシートを前記搬送路へ供給する供給部を含み、
前記制御部は、前記供給部によって前記先行するシートと前記後続するシートを前記搬送路へ供給するタイミングを制御することによって、前記第１の制御と前記第２の制御を実施することを特徴とする請求項１に記載のシート搬送装置。
【請求項３】
前記制御部が前記第１の制御を実施したことによって、前記供給部により形成された前記第２の間隔よりも短い間隔は、前記第１の間隔よりも長い間隔であることを特徴とする請求項２に記載のシート搬送装置。
【請求項４】
前記第１の検知部によって前記後続するシートの先端を検知した後、前記制御部は、前記搬送部によって前記先行するシートの搬送速度を減速させることで前記第１の制御を実施し、前記先行するシートの搬送速度を加速させることで前記第２の制御を実施することを特徴とする請求項１に記載のシート搬送装置。
【請求項５】
前記第１の検知部によって前記後続するシートの先端を検知した後、前記制御部は、前記搬送部によって前記後続するシートの搬送速度を加速させることで前記第１の制御を実施し、前記後続するシートの搬送速度を減速させることで前記第２の制御を実施することを特徴とする請求項１又は４に記載のシート搬送装置。
【請求項６】
前記制御部が前記第１の制御を実施したことによって、前記搬送部により形成された前記第２の間隔よりも短い間隔は、前記第１の間隔よりも短いことを特徴とする請求項４又は５に記載のシート搬送装置。
【請求項７】
前記制御部が前記第１の制御を実施したにもかかわらず、前記第２の検知部によって前記先行するシートの後端が検知された場合、前記制御部は異常が発生したと判断することを特徴とする請求項１乃至６のいずれか１項に記載のシート搬送装置。
【請求項８】
シートの搬送方向において、前記第１の位置は前記第２の位置よりも上流側であることを特徴とするシート搬送装置。
【請求項９】
シートに画像を形成する画像形成部と、
前記シートを搬送する搬送部と、
前記搬送部によって搬送されるシートの先端及び後端を、前記シートの搬送路における第１の位置で検知する第１の検知部と、
前記搬送部によって搬送されるシートの先端及び後端を、前記搬送路における第２の位置で検知する第２の検知部と、を有し、
前記第１の検知部によって検知可能な先行するシートの後端と後続するシートの先端の間の間隔の中で最も短い第１の間隔は、前記第２の検知部によって検知可能な前記先行するシートの後端と前記後続するシートの先端の間の間隔の中で最も短い第２の間隔よりも短い画像形成装置において、
前記先行するシートと前記後続するシートが、前記第１の位置において前記第１の間隔以上の間隔で搬送されるように前記搬送部を制御する制御部であって、前記先行するシートと前記後続するシートが、前記第２の位置において前記第２の間隔よりも短い間隔で搬送されるように前記搬送部を制御する第１の制御と、前記第２の位置において前記第２の間隔以上の間隔で搬送されるように前記搬送部を制御する第２の制御を切り替える前記制御部を有することを特徴とする画像形成装置。
【請求項１０】
シートの搬送方向において、前記第１の位置は前記画像形成部よりも上流側であり、前記第２の位置は前記画像形成部よりも下流側であることを特徴とする請求項９に記載の画像形成装置。
【請求項１１】
前記画像形成部は、前記シートに画像を転写する転写部と、前記転写部によって転写された画像を前記シートに定着する定着部を含み、
前記第１の検知部は、前記転写部によって前記シートに画像を転写するタイミングを制御するためのレジストレーションセンサであって、前記第２の検知部は、前記定着部を通過したシートを検知する排出センサであることを特徴とする請求項１０に記載の画像形成装置。
【請求項１２】
前記制御部が前記第１の制御を実施したにもかかわらず、前記第２の検知部によって前記先行するシートの後端が検知された場合、前記制御部は前記定着部に前記シートが巻き付いたと判断することを特徴とする請求項１１に記載の画像形成装置。
【手続補正２】
【補正対象書類名】明細書
【補正対象項目名】０００７
【補正方法】変更
【補正の内容】
【０００７】
上記の目的を達成するための本発明のシート搬送装置は、シートを搬送する搬送部と、前記搬送部によって搬送されるシートの先端及び後端を、前記シートの搬送路における第１の位置で検知する第１の検知部と、前記搬送部によって搬送されるシートの先端及び後端を、前記搬送路における第２の位置で検知する第２の検知部と、を有し、前記第１の検知部によって検知可能な先行するシートの後端と後続するシートの先端の間の間隔の中で最も短い第１の間隔は、前記第２の検知部によって検知可能な前記先行するシートの後端と前記後続するシートの先端の間の間隔の中で最も短い第２の間隔よりも短いシート搬送装置において、前記先行するシートと前記後続するシートが、前記第１の位置において前記第１の間隔以上の間隔で搬送されるように前記搬送部を制御する制御部であって、前記先行するシートと前記後続するシートが、前記第２の位置において前記第２の間隔よりも短い間隔で搬送されるように前記搬送部を制御する第１の制御と、前記第２の位置において前記第２の間隔以上の間隔で搬送されるように前記搬送部を制御する第２の制御を切り替える前記制御部を有することを特徴とする。
【手続補正３】
【補正対象書類名】明細書
【補正対象項目名】０００８
【補正方法】変更
【補正の内容】
【０００８】
また、上記の目的を達成するための本発明の画像形成装置は、シートに画像を形成する画像形成部と、前記シートを搬送する搬送部と、前記搬送部によって搬送されるシートの先端及び後端を、前記シートの搬送路における第１の位置で検知する第１の検知部と、前記搬送部によって搬送されるシートの先端及び後端を、前記搬送路における第２の位置で検知する第２の検知部と、を有し、前記第１の検知部によって検知可能な先行するシートの後端と後続するシートの先端の間の間隔の中で最も短い第１の間隔は、前記第２の検知部によって検知可能な前記先行するシートの後端と前記後続するシートの先端の間の間隔の中で最も短い第２の間隔よりも短い画像形成装置において、前記先行するシートと前記後続するシートが、前記第１の位置において前記第１の間隔以上の間隔で搬送されるように前記搬送部を制御する制御部であって、前記先行するシートと前記後続するシートが、前記第２の位置において前記第２の間隔よりも短い間隔で搬送されるように前記搬送部を制御する第１の制御と、前記第２の位置において前記第２の間隔以上の間隔で搬送されるように前記搬送部を制御する第２の制御を切り替える前記制御部を有することを特徴とする。